(57)【要約】【課題】近年の屋内配線の複雑化と頻繁な変更の必要性の下、配線接着剤の使用や、カバーの取付位置の測定や調整等煩雑な熟練作業が不要で作業性の極めて高い配線具の構造を提供すること。【解決手段】建築物の壁面に露出して配線される導線を保持しかつ被覆する配線具の構造において、直立片とその下端で直角に折れ曲がるガイド片を具え、ガイド片が床面に当接する位置で、直立片に設けた固着孔に貫挿した固着具により壁面に固定されたアングルと、内部に配線スペースを形成し、固着具の頭部外径より大きな貫通孔と、その上方に連続し、幅が固着具の頭部外径よりも小さいが固着具の軸部を貫挿する切欠部を連設した取付孔を裏面に具え、上記アングルを固定した固着具を取付孔に嵌挿して壁に固定されるカバーとからなり、アングルの固着孔が、所定の取付位置にあるカバーの切欠部に向合う位置に形成されたことを特徴とする配線具の構造。【選択図】  図１
2004173364.tif 000002
【特許請求の範囲】
【請求項１】
建築物の壁面に露出して配線される導線を保持しかつ被覆する配線具の構造において、直立片とその下端で直角に折れ曲がるガイド片を具え、ガイド片が床面に当接する位置で、直立片に設けた固着孔に貫挿した固着具により壁面に固定されたアングルと、内部に配線スペースを形成し、固着具の頭部外径より大きな貫通孔と、その上方に連続し、幅が固着具の頭部外径よりも小さいが固着具の軸部を貫挿する切欠部を連設した取付孔を裏面に具え、上記アングルを固定した固着具を取付孔に嵌挿して壁に固定されるカバーとからなり、アングルの固着孔が、所定の取付位置にあるカバーの切欠部に向合う位置に形成されたことを特徴とする配線具の構造。
【請求項２】
固着具の頭部に連続して、カバーの取付孔の周縁部の肉厚と略同厚のボス部を形成したことを特徴とする請求項１記載の配線具の構造。
【請求項３】
カバーの下端に、床面との間隙を遮断する軟質材を形成したことを特徴とする請求項１又は２記載の配線具の構造。
【発明の詳細な説明】
【０００１】
【発明の属する技術分野】
本発明は、建築物の屋内壁表面に露出した配線を保持し被覆し、配線作業の作業性に優れ、外観を良好とする配線具の構造に関する。
【０００２】
【従来の技術】
近年、家庭にコンピュータやファクシミリ等が普及し、また家電製品も非常に多くなってきている。そのため、設置したコンセントが不足した場合や、あるいは設置したコンセントがあっても、家具を置いたり、間取りの変更などにより、このコンセントが使用できなくなった場合には、従来、延長コードなどを用いて、たこ足配線して対応するか、あるいはコンセントの増設や移動を、電気工事店等の専門業者に依頼している。
【０００３】
しかしながら、たこ足配線は火災等を生じる危険がある。また、専門業者に依頼して工事してもらうのは、工事に取り掛かるまでに通常時間を要するし、工事費用もかかり、しかも工事を行うに際して、壁紙の貼り直しなどの補修工事が付随するという問題がある。
【０００４】
このような問題を解決するため、図４に示すように、居室の巾木、廻り縁、扉枠などの細長部材を配線スペースとして使用し、細長の配線スペースボックスａとプラグ、ソケット、コネクタ等接続部材ｂを具えたアウトレットユニットｃを組合わせて構成する配線具の構造が提案されている。（例えば、特開平９−２４７８２８号）
【０００５】
【発明が解決しようとする課題】
しかし、このような配線具の構造では、配線スペースボックスａ  を壁面に接着剤で固定する方法が多用されており、接着剤の硬化するまでの間木片で配線スペースボックスａ  を壁面に押圧する等して養生することが必要であり、配線作業に多くの時間と手間を要するという問題がある。又配線の変更やメンテナンス作業の際には、硬化した接着剤を剥離して配線スペースボックスａ  を取り外すこととなり、壁クロスが剥がれたり、壁面に接着剤跡が残る等の問題もあった。
【０００６】
このような問題を解決するために、予め壁面に専用のブラケットを取り付けておき、このブラケットに配線スペースボックスａ  を装着することが行われている。この方法では接着剤の使用は不要となるが、ブラケットの取り付け位置がずれると、配線スペースボックスａ  が取り付かなかったり、配線スペースボックスａ  と床面の間に不均一な間隙を生じ、外観を損なうという問題がある。又このような問題防止のためブラケットの取り付け位置を逐一メジャー等で正確に測定しながらブラケットの取り付けを行うことも考えられるが、作業時間が増大し、又熟練が必要となる。
【０００７】
本発明は、以上のような問題点に鑑み案出なされたもので、カバーの取付位置の測定や調整等煩雑な熟練作業が不要で作業性の極めて高い配線具の構造を提供することを目的としている。
【０００８】
【課題を解決するための手段】
本発明のうち請求項１記載の発明は、建築物の壁面に露出して配線される導線を保持しかつ被覆する配線具の構造において、直立片とその下端で直角に折れ曲がるガイド片を具え、ガイド片が床面に当接する位置で、直立片に設けた固着孔に貫挿した固着具により壁面に固定されたアングルと、内部に配線スペースを形成し、固着具の頭部外径より大きな貫通孔と、その上方に連続し、幅が固着具の頭部外径よりも小さいが固着具の軸部を貫挿する切欠部を連設した取付孔を裏面に具え、上記アングルを固定した固着具を取付孔に嵌挿して壁に固定されるカバーとからなり、アングルの固着孔が、所定の取付位置にあるカバーの切欠部に向合う位置に形成されたことを特徴としている。
【０００９】
また請求項２記載の発明は、固着具の頭部に連続して、カバーの取付孔の周縁部の肉厚と略同厚のボス部を形成したことを特徴としている。
【００１０】
また請求項３記載の発明は、カバーの下端に、床面との間隙を遮断する軟質材を形成したことを特徴としている。
【００１１】
【発明の実施の形態】
以下本発明の実施の一形態を図面に基づき説明する。
図１は分解斜視図、図２の（ａ）と（ｂ）は、配線工事の工程を順に示す断面図をそれぞれ示している。
【００１２】
本実施形態の配線具の構造Ａは、居室、廊下等の建築物の壁面１に露出して配線する導線２を保持しかつ被覆する構造に関し、壁面１に固定されたアングル８とカバー１１とから成る。
【００１３】
前記アングル８は、固着孔６を設けた直立片３とその下端で直角に折れ曲がるガイド片４を具え、鉄、ステンレス、プラスチック等で一体に形成され、ガイド片４が床面５に当接する位置で固着孔６に貫挿した固着具７により壁面１に固定される。
【００１４】
固着具７は、その頭部７Ｈに連続形成したボス部７Ｂがアングル８の固着孔６周縁に当接するため固着孔６に嵌入しえず、アングル８の直立片３表面から、該ボス部７Ｂ及び頭部７Ｈが突出する。
【００１５】
一方カバー１１は、下端で後方に折れ曲がる受けリブ２４を具えた直立板状のメインプレート２１、その上端で後方に折れ曲がる上フランジ２２、更にその後部で垂直下方に延びる取付片２３とから成り、鉄、ステンレスの折り曲げ成形、プラスチックの押出し成形、塩化ビニルシート貼り合板のＶカット成形等により形成される。またメインプレート２１と取付片２３の間隙で配線スペース９を構成する。
【００１６】
前記取付け片２３には、前記固着具７の頭部７Ｈの外径より大きな貫通孔１０Ａと、その上方に連続し、幅が固着具７の頭部７Ｈ外径よりも小さいが固着具７のボス部７Ｂを含む軸頭部７Ｓを貫挿する切欠部１０Ｂを連設した取付孔１０を設ける。
【００１７】
然して図２（ａ）に示すように、配線スペース９に導線２を配設したカバー１１を、その貫通孔１０Ａが前記固着具７の頭部７Ｈに対向する高さにおいて、取付片２３がアングル８の直立片３に重なるまで水平にスライドする。次いで、メインプレート２１の受けリブ２４が床面５に当たるまでカバー１１を下方にスライドすると、取付孔１０の切欠部１０Ｂに固着具７のボス部７Ｂが貫挿するとともに固着具７の頭部７Ｈとアングル８の直立片３で取付片２３を挟着してカバー１１が固定される。本実施形態では、固着具７のボス部７Ｂの高さｈが、カバー１１の取付孔１０を設ける取付片２３の肉厚と略同厚に形成されているため、固着具７の壁面１に対する嵌入深さの調整を必要とせず、常にがたつきのなく安定してカバー１１を固定でき、作業性に優れる。
【００１８】
図２（ａ）に示すごとく、カバー１１の受けリブ２４表面から取付片２３の切欠部１０Ｂまでの高さ方向の寸法Ｌ１と、アングル８のガイド片４表面から固着孔６中心までの高さ方向の寸法Ｌ２は、略同一に設定してある。他方前記のように、ガイド片４が床面５に当接する位置でアングル８を固定するため、固着孔６及び該固着孔６に嵌合する固着具７は床面５から一定距離にあることが確保される。従って、アングル８及び固着孔６にカバー１１を装着すると、図２（ｂ）に示すごとく、アングル８の固着孔６（及び固着具７）が、所定の取付位置にあるカバー１１の切欠部１０Ｂに向い合って位置する。このように、本実施形態では、アングル８の直立片３に設けた固着孔６に貫挿した固着具７を、カバー１１の取付孔１０の切欠部１０Ｂに嵌挿するだけで、カバー１１を確実に所定の位置に取り付けることができ、例えば床面５との間に不均一な隙間を生じ得ない。又カバー１１の取付位置の測定や調整等煩雑な熟練作業が不要となる。
【００１９】
配線を変更・増設したり、トラブル時に配線状態をチェックする際には、先ず固着具７の頭部７Ｈと取付片２３の貫通孔１０Ａが向かい合うまで、カバー１１を上方に持ち上げ、次いでカバー１１を手前に水平にスライドさせて、カバー１１を取り外し、配線スペース９内の導線２に対し必要な作業を行う。
【００２０】
尚本実施形態では、カバー１１の上フランジ２２の後端に、アングル８の直立片３と略同厚寸法後方へ延長した突部２５を設けてあるため、カバー１１と壁面１の間で隙間を生じない点で好ましい。
【００２１】
図３は本発明の異なる実施形態の配線具の構造Ｂを示す。アングル８は上下一対の固着孔６を設けた直立片３とガイド片４から成り、ガイド片４が床面５に当接する位置で固着孔６に貫挿した固着具７により壁面１に固定される。
【００２２】
カバー１１は、上端で後方に折れ曲がる上フランジ２２を具えたメインプレート２１、その背面の中位と下位で後方に延びる上受け片２６Ｕ、下受け片２６Ｌ、更にその後端で立上がる上取付片２７Ｕ、下取付片２７Ｌから成る。
【００２３】
カバー１１の配線スペース９は、上受け片２６Ｕによりその上部の上配線スペース９Ｕとその下部の下配線スペース９Ｌに区分される。上配線スペース９Ｕには例えば、電話配線、パソコン用情報配線、インターフォン等家庭内情報配線、アンテナ配線等の情報用導線２Ｕを配線し、他方下配線スペース９Ｌに１００Ｖの動力用導線２Ｌを配線する。
【００２４】
カバー１１の上取付片２７Ｕ、下取付片２７Ｌに、各々上下の固着具７に向合う位置に取付孔１０を設けるが、その具体的構造は前記配線具の構造Ａと同じである。又アングル８及び固着具７に対しカバー１１を装着する手順も前記配線具の構造Ａに準じる。
【００２５】
本実施形態では、図３（ｂ）に示すごとく、取付けられた位置にあるカバー１１のメインプレート２１と床面５の間に隙間２８が形成され、該隙間２８を充填する軟質ゴム、スポンジ等で構成する軟質材１２をメインプレート２１下端に設けてあるため、床面５上に不陸があってもこれを吸収して、外観の毀損やゴミ溜まりを防止する。
【００２６】
【発明の効果】
以上説明したように、本発明では、直立片とその下端で直角に折れ曲がるガイド片を具え、ガイド片が床面に当接する位置で、直立片に設けた固着孔に貫挿した固着具により壁面に固定されたアングルと、内部に配線スペースを形成し、固着具の頭部外径より大きな貫通孔と、その上方に連続し、幅が固着具の頭部外径よりも小さいが固着具の軸部を貫挿する切欠部を連設した取付孔を裏面に具え、上記アングルを固定した固着具を取付孔に嵌挿して壁に固定されるカバーとからなり、アングルの固着孔が、所定の取付位置にあるカバーの切欠部に向合う位置に形成されたことを特徴とするので、熟練を要することなく、能率的に配線作業をなしえ、しかもカバーと床面の間に不均一な隙間を生じることもない。
【００２７】
又固着具の頭部に連続して、カバーの取付孔の周縁部の肉厚と略同厚のボス部を形成することにより作業性が更に向上し、更にはカバーの下端に床面との間隙を遮断する軟質材を形成して、外観の毀損やゴミ溜まりを防止することができる。
【図面の簡単な説明】
【図１】本発明の配線具の構造Ａを示す要部分解斜視図である。
【図２】上記の工事手順を示す断面図である。
【図３】本発明の配線具の構造Ｂの工事手順を示す断面図である。
【図４】従来例の概略図である。
【符号の説明】
１    壁面
２    導線
３    直立片
４    ガイド片
５    床面
６    固着孔
７    固着具
７Ｂ  ボス部
７Ｈ  頭部
７Ｓ  軸部
８    アングル
９    配線スペース
１０    取付孔
１０Ａ  貫通孔
１０Ｂ  切欠部
１１    カバー
１２    軟質材
【図１】
2004173364.tif 000003
【図２】
2004173364.tif 000004
【図３】
2004173364.tif 000005
【図４】
2004173364.tif 000006